(57)【特許請求の範囲】
【請求項１】
複数のシート状部材を備えた冊子であって、
複数の前記シート状部材の一の頁に設けられ、前記シート状部材に貼付される付箋の貼付位置を示す目印となる複数の第１付箋貼付位置指標部と、
前記シート状部材に貼付される前記付箋の貼付位置を示す目印となり、前記冊子の小口に、複数の前記第１付箋貼付位置指標部に対応して設けられた複数の小口付箋貼付位置指標部と、
をさらに備えたことを特徴とする冊子。
【請求項２】
複数の前記第１付箋貼付位置指標部が設けられたのと同じ頁に、複数の前記第１付箋貼付位置指標部に対応して設けられた複数の第１記入欄、をさらに備えたことを特徴とする請求項１に記載の冊子。
【請求項３】
複数の前記第１付箋貼付位置指標部とは異なる頁に設けられ、前記シート状部材に貼付される前記付箋の貼付位置を示す目印となる複数の第２付箋貼付位置指標部と、
複数の前記第２付箋貼付位置指標部が設けられたのと同じ頁に、複数の前記第２付箋貼付位置指標部に対応して設けられた複数の第２記入欄と、
をさらに備えたことを特徴とする請求項２に記載の冊子。
【請求項４】
複数のシート状部材と、
複数の前記シート状部材の一の頁に設けられ、前記シート状部材に貼付される付箋の貼付位置を示す目印となる複数の第１付箋貼付位置指標部と、
複数の前記第１付箋貼付位置指標部が設けられたのと同じ頁に、複数の前記第１付箋貼付位置指標部に対応して設けられた複数の第１記入欄と、
複数の前記第１付箋貼付位置指標部とは異なる頁に設けられ、前記シート状部材に貼付される付箋の貼付位置を示す目印となる複数の第２付箋貼付位置指標部と、
複数の前記第２付箋貼付位置指標部が設けられたのと同じ頁に、複数の前記第２付箋貼付位置指標部に対応して設けられた複数の第２記入欄と、
を備えたことを特徴とする冊子。
【請求項５】
複数の前記第１付箋貼付位置指標部は、複数種類に種類分けされており、
複数の前記第２付箋貼付位置指標部は、複数種類に種類分けされており、
複数の前記第１付箋貼付位置指標部と、複数の前記第２付箋貼付位置指標部とは、互いに対応する位置に設けられた、各第１付箋貼付位置指標部の種類と、各第２付箋貼付位置指標部の種類とが、一致しないように設けられていることを特徴とする請求項３または４に記載の冊子。
【請求項６】
複数のシート状部材と、
前記シート状部材に貼付される付箋の貼付位置を示す目印となる複数の第１付箋貼付位置指標部と、
複数の前記第１付箋貼付位置指標部に対応して設けられた複数の第１記入欄と、を備え、
複数の前記第１付箋貼付位置指標部は、前記シート状部材の一の辺に沿って設けられており、
複数の前記シート状部材は、表表紙および裏表紙を有し、
前記表表紙および前記裏表紙は、複数の前記第１付箋貼付位置指標部が設けられた前記シート状部材の一の辺に対して、はみ出していることを特徴とする冊子。
【請求項７】
複数の前記第１付箋貼付位置指標部は、複数の前記シート状部材の一の頁に設けられており、
複数の前記第１記入欄は、複数の前記第１付箋貼付位置指標部が設けられたのと同じ頁に設けられており、
前記シート状部材に貼付される前記付箋の貼付位置を示す目印となり、前記冊子の小口に、複数の前記第１付箋貼付位置指標部に対応して設けられた複数の小口付箋貼付位置指標部、をさらに備えたことを特徴とする請求項６に記載の冊子。
【請求項８】
請求項１ないし７のいずれか一項に記載の冊子と、
複数種類に種類分けされた複数の前記付箋を有する付箋セットと、を備え、
複数の前記第１付箋貼付位置指標部は、複数種類に種類分けされた複数の前記付箋に対応して、複数種類に種類分けされていることを特徴とする付箋付き冊子。
【請求項９】
複数の前記第１付箋貼付位置指標部は、色によって複数種類に種類分けされた前記付箋に対応して、色によって複数種類に種類分けされていることを特徴とする請求項８に記載の付箋付き冊子。
【請求項１０】
前記冊子に設けられ、前記付箋セットが取り付けられる付箋取付部、をさらに備えたことを特徴とする請求項８または９に記載の付箋付き冊子。
【請求項１１】
前記冊子が出し入れ可能に収納される冊子収納部材、をさらに備え、
前記付箋は、糊付け部と、非糊付け部と、を有し、
複数の前記第１付箋貼付位置指標部は、前記シート状部材の一の辺に沿って設けられており、
前記冊子収納部材は、複数の前記第１付箋貼付位置指標部が設けられた前記シート状部材の一の辺に直交する方向において、少なくとも前記非糊付け部の長さ分、前記冊子よりも大きいことを特徴とする請求項８ないし１０のいずれか一項に記載の付箋付き冊子。
【発明の詳細な説明】
【技術分野】
【０００１】
本発明は、付箋貼付位置指標部を備えた冊子および付箋付き冊子に関するものである。
【背景技術】
【０００２】
従来、用紙端部に見出し用付箋が整然と貼り付けられるようにすべく、用紙端部に貼付け欄が設けられた用紙と、それを束ねたノート類が知られている。この貼付け欄には、１から１０までの数字が付されている（特許文献１参照）。
【先行技術文献】
【特許文献】
【０００３】
【特許文献１】実開昭５２−０９０１２８号公報
【発明の概要】
【発明が解決しようとする課題】
【０００４】
本発明者は、以下の課題を見出した。
従来のノート類においては、貼付け欄に付された数字からは、ユーザーに対して、付箋が貼付された頁に記載された内容を把握させることは困難である。
また、従来のノート類においては、いずれの頁にも貼付け欄が設けられているが、その分、各頁の記入スペースが狭くなるため、一の頁だけに貼付け欄を設けることが考えられる。しかしながら、そのようにすると、一の頁に設けられた貼付け欄に合わせて他の頁に付箋を貼り付ける作業がやり難くなってしまう。
【０００５】
本発明は、付箋が貼付された頁に記載された内容を把握させること、および、付箋の貼付作業の作業性を向上させること、の少なくとも一方を可能とする冊子および付箋付き冊子を提供することを目的としている。
【課題を解決するための手段】
【０００７】
本発明の冊子は、複数のシート状部材を備えた冊子であって、複数のシート状部材の一の頁に設けられ、シート状部材に貼付される付箋の貼付位置を示す目印となる複数の第１付箋貼付位置指標部と、シート状部材に貼付される付箋の貼付位置を示す目印となり、冊子の小口に、複数の第１付箋貼付位置指標部に対応して設けられた複数の小口付箋貼付位置指標部と、をさらに備えたことを特徴とする。
【０００８】
本発明の付箋付き冊子は、上記の冊子と、複数種類に種類分けされた複数の付箋を有する付箋セットと、を備え、複数の第１付箋貼付位置指標部は、複数種類に種類分けされた複数の付箋に対応して、複数種類に種類分けされていることを特徴とする。
【図面の簡単な説明】
【００１１】
【図１】実施例１の冊子を示す図であって、（ａ）は表表紙を開いた状態の図、（ｂ）は表表紙を開いた状態で冊子の天側から見た図、（ｃ）は裏表紙を開いた状態の図である。
【図２】冊子に用いられる付箋セットを示す図である。
【図３】実施例１の冊子の使用例を示す図である。
【図４】図３と共に、実施例１の冊子の使用例を示す図である。
【図５】実施例２の冊子を示す図であって、（ａ）は表表紙を開いた状態の図、（ｂ）は表表紙を開いた状態で冊子の天側から見た図、（ｃ）は裏表紙を開いた状態の図である。
【図６】（ａ）は実施例２の冊子の使用例を示す図であり、（ｂ）は実施例２の変形例に係る冊子の使用例を示す図である。
【図７】実施例３の冊子を示す図であって、（ａ）は表表紙を開いた状態の図、（ｂ）は表表紙を開いた状態で冊子の天側から見た図、（ｃ）は裏表紙を開いた状態の図である。
【図８】実施例３の冊子の使用例を示す図である。
【図９】実施例４の冊子を示す図である。
【図１０】実施例５の冊子を示す図であって、（ａ）は表表紙を開いた状態の図、（ｂ）は表表紙を開いた状態で冊子の天側から見た図、（ｃ）は裏表紙を開いた状態の図である。
【図１１】実施例６の付箋付き冊子を示す図である。
【図１２】実施例７の付箋付き冊子を示す図である。
【図１３】（ａ）は実施例８の付箋貼付位置指標シートを示す図、（ｂ）および（ｃ）は付箋貼付位置指標シートの使用例を示す図である。
【図１４】実施例９の付箋付きシートを示す図である。
【発明を実施するための形態】
【００１２】
＜冊子および付箋付き冊子＞
本発明の冊子および付箋付き冊子の一実施形態について説明する。
【００１３】
本実施形態の冊子は、インデックスとして付箋が貼付されるものである。冊子の形態としては、特に限定されるものではないが、ノートおよび手帳を例示することができる。冊子は、複数のシート状部材と、複数の第１付箋貼付位置指標部と、複数の第１記入欄とを備える。
【００１４】
複数のシート状部材には、例えば、表表紙、裏表紙、およびこれらに挟まれた記録用紙が含まれる。シート状部材としては、所定の寸法の略長方形に仕上げられたもの、つまり枚葉紙を好適に用いることができる。シート状部材の寸法および厚さは、特に限定されるものではない。また、シート状部材の材質としては、紙系、フィルム系など、種々のものを利用可能である。シート状部材には、第１付箋貼付位置指標部および第１記入欄などに加え、罫線等が印刷されていてもよく、これら以外には、何も印刷されていなくてもよい。冊子が備えるシート状部材の枚数は、特に限定されるものではない。複数のシート状部材の綴じ方は、特に限定されるものではなく、例えば、中綴じ、平綴じが用いられる。なお、以下では、シート状部材の各頁の四辺のうち、綴じられた側の辺を綴じ辺、冊子の前小口に対応した辺を側辺、冊子の天に対応した辺を上辺、冊子の地に対応した辺を下辺という。
【００１５】
表表紙および裏表紙の寸法は、特に限定されるものではないが、複数の第１付箋貼付位置指標部がシート状部材の一の辺に設けられている場合、複数の第１付箋貼付位置指標部が設けられたシート状部材の一の辺に対して、表表紙および裏表紙が、はみ出していてもよい。なお、この場合、少なくとも、付箋の非糊付け部（後述する）の長さ分、表表紙および裏表紙がはみ出していることが好ましい。
【００１６】
第１付箋貼付位置指標部は、シート状部材に貼付される付箋の貼付位置を示す目印となるものである。第１付箋貼付位置指標部は、冊子のいずれの箇所に設けられてもよく、例えば、シート状部材のいずれかの頁に設けられ、或いは、冊子の小口に設けられる。複数の第１付箋貼付位置指標部は、シート状部材のいずれかの頁に設けられる場合、シート状部材の側辺、上辺および下辺のうちの１以上の辺に沿って設けられてもよく、シート状部材の中央部に設けられてもよい。なお、第１付箋貼付位置指標部の幅は、貼付される付箋の幅と略同じであることが好ましい。複数の第１付箋貼付位置指標部は、いずれの仕方によって互いに区画されていてもよく、例えば、罫線や、隣接する第１付箋貼付位置指標部とは色を異ならせることによって区画される。
【００１７】
複数の第１付箋貼付位置指標部は、冊子に用いられる付箋セットの種類に対応して、複数種類に種類分けされていてもよく、種類分けされていなくてもよい。複数の第１付箋貼付位置指標部は、それに付された色や文字・図形等、いずれの仕方によって複数種類に種類分けされてもよいが、複数の付箋が色によって複数種類に種類分けされている場合、複数の第１付箋貼付位置指標部も、色によって複数種類に種類分けされることが好ましい。
【００１８】
第１付箋貼付位置指標部の個数は、特に限定されるものではなく、第１付箋貼付位置指標部の種類数と同じであってもよく、第１付箋貼付位置指標部の種類数より多くてもよい。
【００１９】
複数の第１記入欄は、複数の第１付箋貼付位置指標部に対応して設けられる。例えば、複数の第１記入欄と、複数の第１付箋貼付位置指標部とは、第１付箋貼付位置指標部が設けられたシート状部材の一の辺に平行な方向において、各第１記入欄の位置と、各第１付箋貼付位置指標部の位置とが、一致するように設けられる。
【００２０】
第１記入欄は、特に、インデックス内容が記入されるための欄である。ここで、インデックス内容とは、付箋が貼付された頁に記載された内容、を意味する。なお、ユーザーは、第１記入欄に、インデックス内容以外の所望の文字列・記号等を記入することも可能である。
【００２１】
第１記入欄は、冊子のいずれの箇所に設けられてもよい。第１記入欄は、第１付箋貼付位置指標部がシート状部材のいずれかの頁に設けられる場合、第１付箋貼付位置指標部が設けられたのと同じ頁に設けられてもよく、異なる頁に設けられてもよい。さらに、複数の第１記入欄は、複数の第１付箋貼付位置指標部がシート状部材の側辺、上辺および下辺のうちの１以上の辺に沿って設けられる場合、第１付箋貼付位置指標部が設けられたのと同じ辺に沿って設けられることが好ましい。第１記入欄は、第１付箋貼付位置指標部に対して、外側に設けられていてもよく、内側に設けられていてもよい。複数の第１記入欄は、いずれの仕方によって互いに区画されていてもよく、例えば、罫線や、隣接する第１記入欄とは色を異ならせることによって区画される。第１記入欄は、１個の第１付箋貼付位置指標部に対して、１個設けられていてもよく、２個以上設けられていてもよい。
【００２２】
冊子は、第１付箋貼付位置指標部が、シート状部材のいずれかの頁に設けられる場合、複数の小口付箋貼付位置指標部をさらに備えていてもよい。小口付箋貼付位置指標部は、第１付箋貼付位置指標部と共に、シート状部材に貼付される付箋の貼付位置を示す目印となるものである。
【００２３】
小口付箋貼付位置指標部は、冊子の前小口、天および地のうちの１以上の小口に設けられる。小口付箋貼付位置指標部は、第１付箋貼付位置指標部が側辺、上辺および下辺のうちの１以上の辺に沿って設けられる場合、対応する小口に設けられることが好ましい。
【００２４】
複数の小口付箋貼付位置指標部は、複数の第１付箋貼付位置指標部に対応して設けられる。例えば、複数の小口付箋貼付位置指標部と、複数の第１付箋貼付位置指標部とは、第１付箋貼付位置指標部が設けられたシート状部材の一の辺に平行な方向において、各小口付箋貼付位置指標部の位置と、各第１付箋貼付位置指標部の位置とが、一致するように設けられる。
【００２５】
複数の小口付箋貼付位置指標部は、いずれの仕方によって互いに区画されていてもよく、例えば、罫線や、隣接する小口付箋貼付位置指標部とは色を異ならせることによって区画される。複数の小口付箋貼付位置指標部は、複数の第１付箋貼付位置指標部と同様に、冊子に用いられる付箋セットの種類に対応して、複数種類に種類分けされていてもよく、種類分けされていなくてもよい。この場合、複数の小口付箋貼付位置指標部と、複数の第１付箋貼付位置指標部とは、互いに対応する位置に設けられた、各小口付箋貼付位置指標部の種類と、各第１付箋貼付位置指標部の種類とが、一致するように設けられることが好ましい。
【００２６】
冊子は、第１付箋貼付位置指標部が、シート状部材のいずれかの頁に設けられる場合、複数の頁付箋貼付位置指標部をさらに備えてもよい。複数の頁付箋貼付位置指標部は、各見開き右頁に、或いは、各見開き左頁に設けられる。頁付箋貼付位置指標部は、第１付箋貼付位置指標部が側辺、上辺および下辺のうちの１以上の辺に沿って設けられる場合、対応する辺に設けられることが好ましい。
【００２７】
複数の頁付箋貼付位置指標部は、複数の第１付箋貼付位置指標部に対応して設けられる。例えば、複数の頁付箋貼付位置指標部と、複数の第１付箋貼付位置指標部とは、第１付箋貼付位置指標部が設けられたシート状部材の一の辺に平行な方向において、各頁付箋貼付位置指標部の位置と、各第１付箋貼付位置指標部の位置とが、一致するように設けられる。
【００２８】
複数の頁付箋貼付位置指標部は、いずれの仕方によって互いに区画されていてもよく、例えば、罫線や、隣接する頁付箋貼付位置指標部とは色を異ならせることによって区画される。複数の頁付箋貼付位置指標部は、複数の第１付箋貼付位置指標部と同様に、冊子に用いられる付箋セットの種類に対応して、複数種類に種類分けされていてもよく、種類分けされていなくてもよい。この場合、複数の頁付箋貼付位置指標部と、複数の第１付箋貼付位置指標部とは、互いに対応する位置に設けられた、各付箋貼付位置指標部の種類と、各第１付箋貼付位置指標部の種類とが、一致するように設けられることが好ましい。
【００２９】
冊子は、第１付箋貼付位置指標部が、シート状部材のいずれかの頁に設けられる場合、複数の第２付箋貼付位置指標部をさらに備えていてもよい。第２付箋貼付位置指標部は、第１付箋貼付位置指標部とは別に、シート状部材に貼付される付箋の貼付位置を示す目印となるものである。
【００３０】
第２付箋貼付位置指標部は、第１付箋貼付位置指標部とは異なる頁に設けられる。複数の第２付箋貼付位置指標部は、第１付箋貼付位置指標部と同様に、シート状部材の側辺、上辺および下辺のうちの１以上の辺に沿って設けられてもよく、シート状部材の中央部に設けられていてもよい。複数の第２付箋貼付位置指標部は、第１付箋貼付位置指標部が設けられた辺と、同じ辺に沿って設けられてもよく、異なる辺に沿って設けられてもよい。なお、第２付箋貼付位置指標部の幅は、第１付箋貼付位置指標部の幅と同様に、貼付される付箋の幅と略同じであることが好ましい。複数の第２付箋貼付位置指標部は、いずれの仕方によって互いに区画されていてもよく、例えば、罫線や、隣接する第２付箋貼付位置指標部とは色を異ならせることによって区画される。
【００３１】
複数の小口付箋貼付位置指標部は、複数の第１付箋貼付位置指標部と同様に、冊子に用いられる付箋セットの種類に対応して、複数種類に種類分けされていてもよく、種類分けされていなくてもよい。この場合、複数の第２付箋貼付位置指標部と、複数の第１付箋貼付位置指標部とは、互いに対応する位置に設けられた、各第２付箋貼付位置指標部の種類と、各第１付箋貼付位置指標部の種類とが、一致するように設けられてもよく、一致しないように設けられてもよい。なお、各第２付箋貼付位置指標部の種類と、各第１付箋貼付位置指標部の種類とが、一致しないように設ける仕方としては、特に限定されるものではなく、例えば、複数種類の第２付箋貼付位置指標部が、複数種類の第１付箋貼付位置指標部に対して、並び順は同じだが１つまたは２つ以上ずつずれることにより、両者の種類が一致しないようにしてもよく、並び順を変えることにより、両者の種類が一致しないようにしてもよい。
【００３２】
第２付箋貼付位置指標部の個数は、特に限定されるものではなく、第２付箋貼付位置指標部の種類数と同じであってもよく、第２付箋貼付位置指標部の種類数より多くてもよい。第２付箋貼付位置指標部の個数は、第１付箋貼付位置指標部の個数と同じであってもよく、これより多くても少なくてもよい。
【００３３】
複数の第２記入欄は、複数の第２付箋貼付位置指標部と同じ頁に設けられ、複数の第２付箋貼付位置指標部に対応している点を除き、第１記入欄と同様に構成される。
【００３４】
このように構成された冊子は、付箋セットと共に、付箋付き冊子を構成する。
【００３５】
付箋セットは、複数種類に種類分けされた複数の付箋を有する。複数の付箋は、いずれの仕方によって複数種類に種類分けされてもよく、例えば、付箋に付された色、文字や図形等によって、複数種類に種類分けされる。付箋の種類数は、特に限定されるものではない。
【００３６】
付箋は、糊付け部と非糊付け部とを備えていてもよい。糊付け部は、簡単に剥がせる程度の、弱粘着性である。また、糊付け部は、透光性であってもよく、非透光性であってもよい。
【００３７】
冊子は、上記と同様の構成を備えるが、付箋取付部をさらに備えてもよい。付箋取付部には、付箋セットが取り付けられる。付箋取付部は、冊子のいずれに設けられてもよく、例えば、表表紙の外面若しくは内面または裏表紙の外面若しくは内面に設けられる。付箋取付部の形態は、特に限定されるものではなく、例えば、付箋セットを出し入れ可能に収納するポケット状のものでもよく、付箋セットの一部と嵌合するタイプのものであってもよい。
【００３８】
付箋付き冊子は、冊子収納部材をさらに備えていてもよい。冊子収納部材には、冊子が出し入れ可能に収納される。冊子収納部材の材質は、特に限定されるものではなく、例えば、プラスチック製、金属製、木製、革製のいずれであってもよい。冊子収納部材の寸法は、特に限定されるものではないが、冊子において複数の第１付箋貼付位置指標部が設けられたシート状部材の一の辺に直交する方向において、少なくとも非糊付け部の長さ分、冊子よりも大きくてもよい。
【００３９】
＜付箋貼付位置指標シートおよび付箋付きシート＞
次に、本発明の付箋貼付位置指標シートおよび付箋付きシートの一実施形態について説明する。
【００４０】
本実施形態の付箋貼付位置指標シートは、シート状部材と、複数の付箋貼付位置指標部と、複数の記入欄とを備える。すなわち、付箋貼付位置指標シートは、上記した冊子において、複数の第１付箋貼付位置指標部および複数の第１記入欄が設けられたシート状部材と同様に構成されている。付箋貼付位置指標シートは、例えば、公知の冊子の一の頁に貼付される。このため、シート状部材には、予め粘着剤が塗布されていてもよい。また、付箋貼付位置指標シートは、他の用紙と共に、バインダーに綴じられて、用いられる。このため、シート状部材には、予め綴じ穴が形成されていてもよい。
【００４１】
このように構成された付箋貼付位置指標シートは、付箋セットと共に、付箋付きシートを構成する。
【００４２】
以下、図面を参照しつつ、実施例を挙げて、本発明についてより具体的に説明する。
【００４３】
＜実施例１＞
図１を参照して、実施例１に係る冊子Ａについて説明する。冊子Ａは、複数のシート状部材１と、１７個の第１付箋貼付位置指標部２と、３４個の第１記入欄３とを備えている。なお、冊子Ａは、小口付箋貼付位置指標部４（図５参照）や第２付箋貼付位置指標部５（図７参照）を備えていない。
【００４４】
複数のシート状部材１は、表表紙１１と、裏表紙１２と、それらに挟まれた複数の記録用紙１３とを備えている。表表紙１１および裏表紙１２は、記録用紙１３と略同じ寸法に形成されている。
【００４５】
１７個の第１付箋貼付位置指標部２は、記録用紙１３の第１頁において、記録用紙１３の上辺１３２に沿って１列に設けられている。１７個の第１付箋貼付位置指標部２は、シート状部材１に貼付される付箋７１１の、上辺１３２に平行な方向における貼付位置を示す目印となる。１７個の第１付箋貼付位置指標部２は、罫線および隣接する第１付箋貼付位置指標部２と色を異ならせることによって互いに区画されている。
【００４６】
１７個の第１付箋貼付位置指標部２は、図２に示した６色の付箋セット７に対応して、６色に種類分けされている。より具体的には、記録用紙１３の第１頁の上辺１３２には、冊子Ａのノド２０側から順に、青色の第１付箋貼付位置指標部２ａ、紫色の第１付箋貼付位置指標部２ｂ、桃色の第１付箋貼付位置指標部２ｃ、橙色の第１付箋貼付位置指標部２ｄ、黄色の第１付箋貼付位置指標部２ｅ、緑色の第１付箋貼付位置指標部２ｆが、この順に繰り返し並んでいる。なお、図面では、色の違いを、便宜上、グレースケールによって表している。以下の説明において、ｎ番目の第１付箋貼付位置指標部２とは、冊子Ａのノド２０側から数えて、ｎ番目の第１付箋貼付位置指標部２を意味する。後述する小口付箋貼付位置指標部４および第２付箋貼付位置指標部５についても、同様である。
【００４７】
３４個の第１記入欄３は、第１付箋貼付位置指標部２と同様に、記録用紙１３の第１頁において、上辺１３２に沿って設けられている。より具体的には、３４個の第１記入欄３は、１７個ずつ２列に分けて設けられている。すなわち、１個の第１付箋貼付位置指標部２に対して、２個の第１記入欄３が設けられている。３４個の第１記入欄３と、１７個の第１付箋貼付位置指標部２とは、上辺１３２に平行な方向において、各第１記入欄３の位置と、各第１付箋貼付位置指標部２の位置とが、一致するように設けられている。このように、３４個の第１記入欄３は、１７個の第１付箋貼付位置指標部２に対応して設けられている。また、第１記入欄３は、第１付箋貼付位置指標部２に対して、内側に設けられている。３４個の第１記入欄３は、罫線によって互いに区画されている。
【００４８】
図２を参照して、冊子Ａと共に用いられる付箋セット７について説明する。付箋セット７は、青色、紫色、桃色、橙色、黄色および緑色の計６色の付箋束７１と、付箋ケース７２とを備えている。６色の付箋束７１は、６色の付箋７１１が、色毎に束ねられたものである。付箋７１１は、細長い長方形（短冊状）に形成されている。付箋７１１は、長手方向の一方に設けられた糊付け部７１１１と、長手方向の他方に設けられた非糊付け部７１１２とを備えている。なお、付箋束７１においては、複数の付箋７１１が、糊付け部７１１１および非糊付け部７１１２の向きが互い違いになるようにして、重ねられている。糊付け部７１１１は、弱粘着性である。これにより、付箋７１１が糊付け部７１１１により記録用紙１３に貼付された後も、これを簡単に剥がし、別の箇所に貼付することが可能である。また、糊付け部７１１１は、透光性である。付箋７１１が記録用紙１３に貼付された状態では、糊付け部７１１１が記録用紙１３と重ねられ、非糊付け部７１１２が記録用紙１３からはみ出すことになるが、糊付け部７１１１が透光性であるため、糊付け部７１１１を透かして記録用紙１３に記録された文字等を読み取ることができる（図４参照）。
【００４９】
図３および図４を参照して、冊子Ａの使用例について説明する。ここでは、例として、企業の営業担当者であるＸ氏が、２０１５年３月２日に、Ａ社、Ｂ社およびＣ社をこの順に訪問し、その２日後（同月４日）に、Ａ社を再訪し、それらの訪問記録を時系列に前の頁から記録、すなわち、Ａ社の訪問記録を記録用紙１３の第３頁〜第５頁に、Ｂ社の訪問記録を第６頁〜第１０頁に、Ｃ社の訪問記録を第１１頁〜第１２頁に、Ａ社の訪問記録を第１３頁〜第１７頁に、記録した場合について説明する。
【００５０】
この場合、Ｘ氏は、第３頁に対し、１番目の第１付箋貼付位置指標部２ａを目印として、青色の付箋７１１を貼付する（図３（ａ）参照）。なお、この場合、Ｘ氏は、付箋７１１が貼られていないシート状部材１の頁（第５頁）についても、付箋７１１が貼られた頁（第３頁）からの記述が続いていることが明確になるように、その旨を示す文字・記号等を第４頁の右下欄等に記載してもよい。続いて、Ｘ氏は、第７頁に対し、２番目の第１付箋貼付位置指標部２ｂを目印として、紫色の付箋７１１を貼付する（図３（ｂ）参照）。なお、ここでは、Ｂ社の訪問記録が始まる第６頁に対し、付箋７１１を貼付するようにしてもよいが、奇数頁および偶数頁のいずれに貼付するか、すなわち見開き右頁および左頁のいずれに貼付するか、統一しておいた方が、後で付箋７１１を手掛かりとして頁を捲る際に便利である。続いて、Ｘ氏は、第１１頁に対し、３番目の第１付箋貼付位置指標部２ｃを目印として、桃色の付箋７１１を貼付する（図３（ｃ）参照）。続いて、Ｘ氏は、第１３頁に対し、１番目の第１付箋貼付位置指標部２ａを目印として、青色の付箋７１１を貼付する（図３（ｄ）参照）。最後に、Ｘ氏は、１番目の第１付箋貼付位置指標部２ａの下に設けられた第１記入欄３に対し、インデックス内容として、「Ａ」と記入し、２番目の第１付箋貼付位置指標部２ｂの下に設けられた第１記入欄３に対し、インデックス内容として、「Ｂ」を記入し、３番目の第１付箋貼付位置指標部２ｃの下に設けられた第１記入欄３に対し、インデックス内容として、「Ｃ」を記入する（図３（ｅ）参照）。もちろん、これらの作業の順序は、特に限定されるものではない。また、１番目の第１付箋貼付位置指標部２ａから順に目印としたが、その順序も特に問わない。図３に示したように、付箋７１１には、顧客への訪問日など、インデックス内容以外の情報を記入してもよい。
【００５１】
このようにして、Ｘ氏は、付箋７１１を貼付した後、Ａ社の訪問記録を見たい場合には、Ａ社の訪問記録が記録されている頁に貼られている付箋７１１は、１番目の第１付箋貼付位置指標部２ａに対応する位置にある付箋７１１であるから、これを、他の付箋７１１から容易に見分けることができる。そして、１番目の第１付箋貼付位置指標部２ａに対応する位置にある２つの付箋７１１を手掛かりとして頁を捲れば、Ａ社の訪問記録が記入されている第３頁（図４（ａ）参照）や第１３頁（図４（ｂ）参照）を即座に開くことができる。すなわち、貼付した付箋７１１がインデックスとして機能することにより、複数の顧客先の訪問記録のなかから、Ａ社の訪問記録を容易に検索することができる。
【００５２】
＜実施例２＞
図５を参照して、実施例２に係る冊子Ｂについて説明する。冊子Ｂは、冊子Ａと略同様に構成されているが、さらに、１７個の小口付箋貼付位置指標部４を備えている。
【００５３】
小口付箋貼付位置指標部４は、第１付箋貼付位置指標部２が設けられた上辺１３２に対応する小口である、天３０に設けられている。１７個の小口付箋貼付位置指標部４は、シート状部材１に貼付される付箋７１１の、上辺１３２に平行な方向における貼付位置を示す目印となる。１７個の小口付箋貼付位置指標部４は、１７個の第１付箋貼付位置指標部２に対応して設けられている。すなわち、１７個の小口付箋貼付位置指標部４と、１７個の第１付箋貼付位置指標部２とは、上辺１３２に平行な方向において、各小口付箋貼付位置指標部４の位置と、各第１付箋貼付位置指標部２の位置とが、一致するように設けられている。１７個の小口付箋貼付位置指標部４は、罫線および隣接する小口付箋貼付位置指標部４と色を異ならせることによって互いに区画されている。
【００５４】
１７個の小口付箋貼付位置指標部４は、図２に示した６色の付箋セット７に対応して、６色に種類分けされている。より具体的には、冊子Ｂの天３０には、冊子Ｂのノド２０側から順に、青色の小口付箋貼付位置指標部４ａ、紫色の小口付箋貼付位置指標部４ｂ、桃色の小口付箋貼付位置指標部４ｃ、橙色の小口付箋貼付位置指標部４ｄ、黄色の小口付箋貼付位置指標部４ｅ、緑色の小口付箋貼付位置指標部４ｆが、この順に繰り返し並んでいる。そのため、互いに対応する位置に設けられた、各小口付箋貼付位置指標部４の色と、各第１付箋貼付位置指標部２の色とが、一致するように設けられている。
【００５５】
図６を参照して、冊子Ｂの使用例について説明する。冊子Ｂにおいては、付箋７１１が貼付される頁が大きく開かれた状態で、例えば、１番目の第１付箋貼付位置指標部２ａに代えて、１番目の小口付箋貼付位置指標部４ａを目印として、青色の付箋７１１を貼付することができる。
【００５６】
なお、図６（ｂ）に示したように、冊子Ｂは、各見開き右頁に、１７個の頁付箋貼付位置指標部１０を備えていてもよい。１７個の頁付箋貼付位置指標部１０は、各見開き右頁において、上辺１３２に沿って１列に設けられている。１７個の頁付箋貼付位置指標部１０は、第１付箋貼付位置指標部２や小口付箋貼付位置指標部４と同様に、図２に示した６色の付箋セット７に対応して、６色に種類分けされている。この頁付箋貼付位置指標部１０によっても、付箋７１１を貼りやすくすることができる。
【００５７】
＜実施例３＞
図７を参照して、実施例３に係る冊子Ｃについて説明する。冊子Ｃは、冊子Ａと略同様に構成されているが、さらに、１７個の第２付箋貼付位置指標部５と、３４個の第２記入欄６とを備えている。
【００５８】
１７個の第２付箋貼付位置指標部５は、記録用紙１３の最終頁において、１７個の第１付箋貼付位置指標部２と同様に、上辺１３２に沿って１列に設けられている。１７個の第２付箋貼付位置指標部５は、シート状部材１に貼付される付箋７１１の、上辺１３２に平行な方向における貼付位置を示す目印となる。１７個の第２付箋貼付位置指標部５は、罫線および隣接する第２付箋貼付位置指標部５と色を異ならせることによって互いに区画されている。
【００５９】
１７個の第２付箋貼付位置指標部５は、図２に示した６色の付箋セット７に対応して、６色に種類分けされている。より具体的には、記録用紙１３の最終頁の上辺１３２には、冊子Ａのノド２０側から順に、緑色の第２付箋貼付位置指標部５ｆ、青色の第２付箋貼付位置指標部５ａ、紫色の第２付箋貼付位置指標部５ｂ、桃色の第２付箋貼付位置指標部５ｃ、橙色の第２付箋貼付位置指標部５ｄ、黄色の第２付箋貼付位置指標部５ｅが、この順に繰り返し並んでいる。このように、６色の第２付箋貼付位置指標部５は、６色の第１付箋貼付位置指標部２に対して、並び順は同じだが１つずつずれているため、互いに対応する位置に設けられた、各第２付箋貼付位置指標部５の色と、各第１付箋貼付位置指標部２の色とが、一致していない。例えば、１番目の第２付箋貼付位置指標部５ｆの色は、緑色であるのに対し、１番目の第１付箋貼付位置指標部２ａの色は、青色である。
【００６０】
３４個の第２記入欄６は、第２付箋貼付位置指標部５と同様に、記録用紙１３の最終頁において、上辺１３２に沿って設けられている。より具体的には、３４個の第２記入欄６は、１７個ずつ２列に分けて設けられている。すなわち、１個の第２付箋貼付位置指標部５に対して、２個の第２記入欄６が設けられている。３４個の第２記入欄６と、１７個の第２付箋貼付位置指標部５とは、上辺１３２に平行な方向において、各第２記入欄６の位置と、各第２付箋貼付位置指標部５の位置とが、一致するように設けられている。このように、３４個の第２記入欄６は、１７個の第２付箋貼付位置指標部５に対応して設けられている。
【００６１】
図８を参照して、冊子Ｃの使用例について説明する。図８（ａ）は、冊子Ｃにおいて、Ａ社〜Ｑ社の計１７社の訪問記録が記録され、１７個の第１付箋貼付位置指標部２のそれぞれに対応する位置に付箋７１１が貼付された状態を示している。Ｘ氏が、１８社目であるＲ社の訪問記録について、付箋７１１を貼付する場合、最終頁を開き、１番目の第２付箋貼付位置指標部５ｆを目印として、Ｒ社の訪問記録が記録された頁に、緑色の付箋７１１を貼付する（図８（ｂ）参照）。そして、Ｘ氏は、１番目の第２付箋貼付位置指標部５ｆに対応する第２記入欄６には、「Ｒ」と記入する。
【００６２】
＜実施例４＞
図９を参照して、実施例４に係る冊子Ｄについて説明する。冊子Ｄは、表表紙１１および裏表紙１２が、記録用紙１３の上辺１３２に対して、はみ出している点を除き、冊子Ａと同様に構成されている。
【００６３】
＜実施例５＞
図１０を参照して、実施例５に係る冊子Ｅについて説明する。冊子Ｅは、３４個の第１記入欄３を備えていない点を除き、冊子Ｂと同様に構成されている。
【００６４】
以上のように、冊子Ａ〜Ｄは、複数のシート状部材１と、１７個の第１付箋貼付位置指標部２と、３４個の第１記入欄３とを備えている。１７個の第１付箋貼付位置指標部２は、シート状部材１に貼付される付箋７１１の貼付位置を示す目印となる。１７個の第１付箋貼付位置指標部２は、１７個の第１付箋貼付位置指標部２に対応して設けられている。この構成によれば、第１記入欄３に対して、ユーザーがインデックス内容を記入可能であることから、ユーザーに対して、付箋７１１が貼付された頁に記載された内容を把握させることができる。例えば、１番目の第１付箋貼付位置指標部２ａに対応する位置にある付箋７１１が貼付された頁には、１番目の第１付箋貼付位置指標部２ａに対応する第１記入欄３に記入されたインデックス内容（Ａ社）を見ることにより、Ａ社の訪問記録が記載されていることがわかる。
【００６５】
冊子Ａ〜Ｄでは、１７個の第１付箋貼付位置指標部２は、記録用紙１３の第１頁に設けられており、３４個の第１記入欄３は、第１付箋貼付位置指標部２と同じ、記録用紙１３の第１頁に設けられている。この構成によれば、第１付箋貼付位置指標部２と、第１記入欄３に記入されたインデックス内容等とを、容易に同時に見ることができる。
【００６６】
冊子Ａ〜Ｅによれば、前の頁から時系列で記録しても、貼付された付箋７１１がインデックスとして機能することにより、目的とする記録を後から容易に検索することができる。そのため、例えば、第１頁から第２０頁はＡ社、第２１ページから第３０ページはＢ社、のように、予め訪問先別に頁を区切っておく必要がない。また、付箋７１１であるから、容易に剥がしたり、貼り直すことができるため、不要となった付箋７１１については、剥がしてしまえばよく、付箋７１１を誤って別の位置に貼付した場合にも、簡単に正しい位置に貼り直すことができる。
【００６７】
また、冊子Ｂ，Ｅは、１７個の小口付箋貼付位置指標部４を備えている。１７個の小口付箋貼付位置指標部４は、シート状部材１に貼付される付箋７１１の貼付位置を示す目印となり、冊子Ａの天３０に、１７個の第１付箋貼付位置指標部２に対応して設けられている。この構成によれば、付箋７１１が貼付される頁が開かれた状態でも、ユーザーが小口付箋貼付位置指標部４を視認可能であるため、ユーザーに対して、付箋７１１の貼付位置を把握させることができる。これにより、付箋７１１の貼付作業の作業性を向上させることができる。
【００６８】
また、冊子Ｃは、１７個の第２付箋貼付位置指標部５と、３４個の第２記入欄６とを備えている。１７個の第２付箋貼付位置指標部５は、１７個の第１付箋貼付位置指標部２が設けられた第１頁とは異なる頁（最終頁）に設けられ、シート状部材１に貼付される付箋７１１の貼付位置を示す目印となる。３４個の第１記入欄３は、１７個の第２付箋貼付位置指標部５が設けられた最終頁と同じ頁（最終頁）に、１７個の第２付箋貼付位置指標部５に対応して設けられている。この構成によれば、第１付箋貼付位置指標部２および第１記入欄３に加えて、第２付箋貼付位置指標部５および第２記入欄６を利用することで、インデックスとして機能する付箋７１１の種類を、１７種から３４種に増やすことができる。
【００６９】
冊子Ｃでは、１７個の第１付箋貼付位置指標部２は、６色に種類分けされており、１７個の第２付箋貼付位置指標部５も、６色に種類分けされている。１７個の第１付箋貼付位置指標部２と、１７個の第２付箋貼付位置指標部５とは、互いに対応する位置に設けられた、各第１付箋貼付位置指標部２の色と、各第２付箋貼付位置指標部５の色とが、一致しないように設けられている。これにより、上辺１３２に平行な方向において同じ位置に貼付された、第２付箋貼付位置指標部５を目印にして貼付された付箋７１１と、第１付箋貼付位置指標部２を目印にして貼付された付箋７１１とで、両者の色が異なることになるため、その付箋７１１が、第２付箋貼付位置指標部５を目印にして貼付されたのか、第１付箋貼付位置指標部２を目印にして貼付されたのかを、容易に区別することができる。
【００７０】
また、冊子Ｄでは、１７個の第１付箋貼付位置指標部２は、記録用紙１３の上辺１３２に沿って設けられている。表表紙１１および裏表紙１２は、記録用紙１３の上辺１３２に対してはみ出している。上述したように、付箋７１１は、糊付け部７１１１が記録用紙１３と重ねられ、非糊付け部７１１２が記録用紙１３の上辺１３２からはみ出すようにして、記録用紙１３に貼付されるが、この構成によれば、記録用紙１３の上辺１３２からはみ出した非糊付け部７１１２が、表表紙１１および裏表紙１２のうち、記録用紙１３の上辺１３２からはみ出した部分によって保護される。したがって、冊子Ｄをカバンや引出し等に入れた際に、貼付された付箋７１１が折れ曲がってしまうことを防ぐことができる。
【００７１】
＜実施例６＞
図１１を参照して、実施例６に係る付箋付き冊子Ｆについて説明する。付箋付き冊子Ｆは、冊子Ａと、付箋セット７と、ポケット状の付箋取付部８とを備えている。付箋取付部８は、表表紙１１の内面に設けられている。付箋取付部８に、付箋セット７が出し入れ可能に収納される。
【００７２】
＜実施例７＞
図１２を参照して、実施例７に係る付箋付き冊子Ｇについて説明する。付箋付き冊子Ｇは、冊子Ａと、付箋セット７と、冊子収納部材９とを備えている。冊子収納部材９には、冊子Ａが出し入れ可能に収納される。冊子収納部材９は、透光性のプラスチック製であって、一面が開放可能な扁平直方体状の箱型に形成されている。冊子収納部材９は、冊子Ａにおいて１７個の第１付箋貼付位置指標部２が設けられた記録用紙１３の上辺１３２に直交する方向、すなわち側辺１３１に平行な方向において、少なくとも非糊付け部７１１２の長さ分、冊子Ａよりも大きい。
【００７３】
以上のように、付箋付き冊子Ｆ，Ｇは、冊子Ａを備えている。この構成によれば、第１記入欄３に対して、ユーザーがインデックス内容を記入可能であることから、ユーザーに対して、付箋７１１が貼付された頁に記載された内容を把握させることができる。
【００７４】
付箋付き冊子Ｆ，Ｇでは、付箋セット７が、６色に種類分けされた複数の付箋束７１（付箋７１１）を有している。冊子Ａが備える１７個の第１付箋貼付位置指標部２は、６色に種類分けされた付箋束７１（付箋７１１）に対応して、６色に種類分けされている。この構成によれば、どの色の付箋７１１を、どの第１付箋貼付位置指標部２が示す位置に貼ればよいかを、分りやすく示すことができる。
【００７５】
また、付箋付き冊子Ｆは、付箋セット７が取り付けられる付箋取付部８を備えている。この構成によれば、ユーザーが、付箋付き冊子Ｆを持ち運ぶ際に、冊子Ａと付箋セット７とを別々に保持する必要がなく、便利である。
【００７６】
また、付箋付き冊子Ｇは、冊子Ａが出し入れ可能に収納される冊子収納部材９を備えている。付箋７１１は、糊付け部７１１１と非糊付け部７１１２とを有している。１７個の第１付箋貼付位置指標部２は、記録用紙１３の上辺１３２に沿って設けられている。冊子収納部材９は、記録用紙１３の上辺１３２に直交する方向において、少なくとも非糊付け部７１１２の長さ分、冊子Ａよりも大きい。この構成によれば、冊子Ａに貼付された付箋７１１が折られることなく、冊子Ａが冊子収納部材９に収納される。したがって、冊子Ａを冊子収納部材９に収納された状態でカバンや引出し等に入れることにより、貼付された付箋７１１が折れ曲がってしまうことを防ぐことができる。
【００７７】
＜実施例８＞
図１３を参照して、実施例８に係る付箋貼付位置指標シートＨについて説明する。付箋貼付位置指標シートＨは、冊子Ａの記録用紙１３の第１頁と同様に構成されている。すなわち、付箋貼付位置指標シートＨは、シート状部材１と、１７個の付箋貼付位置指標部２と、３４個の記入欄３とを備えている。１７個の付箋貼付位置指標部２は、シート状部材１に設けられ、シート状部材１に貼付される付箋７１１の貼付位置を示す目印となる。３４個の記入欄３は、シート状部材１に、１７個の付箋貼付位置指標部２に対応して設けられている。このような構成された付箋貼付位置指標シートＨは、公知の冊子ａに貼り付けられ（図１３（ｂ）参照）、或いは、他の用紙と共にバインダーｂに綴じられる（図１３（ｃ）参照）。これにより、公知の冊子ａやバインダーｂを、実施例１の冊子Ａと同様に機能させることができる。この構成によれば、第１記入欄３に対して、ユーザーがインデックス内容を記入可能であることから、ユーザーに対して、付箋７１１が貼付された頁に記載された内容を把握させることができる。
【００７８】
以上のように、付箋貼付位置指標シートＨでは、第１記入欄３に対して、ユーザーがインデックス内容を記入可能であることから、ユーザーに対して、付箋７１１が貼付された頁に記載された内容を把握させることができる。
【００７９】
＜実施例９＞
図１４を参照して、実施例９に係る付箋付きシートＩについて説明する。付箋付きシートＩは、付箋貼付位置指標シートＨと、付箋セット７とを備えている。付箋セット７は、上述したように、６色に種類分けされた複数の付箋束７１（付箋７１１）を有している。付箋貼付位置指標シートＨが備える１７個の付箋貼付位置指標部２は、６色に種類分けされた複数の付箋束７１（付箋７１１）に対応して、６色に種類分けされている。
【００８０】
以上のように、付箋付きシートＩは、付箋貼付位置指標シートＨを備えている。この構成によれば、第１記入欄３に対して、ユーザーがインデックス内容を記入可能であることから、ユーザーに対して、付箋７１１が貼付された頁に記載された内容を把握させることができる。
【００８１】
付箋付きシートＩでは、付箋セット７が、６色に種類分けされた複数の付箋束７１（付箋７１１）を有している。付箋貼付位置指標シートＨが備える１７個の第１付箋貼付位置指標部２は、６色に種類分けされた複数の付箋束７１（付箋７１１）に対応して、６色に種類分けされている。この構成によれば、どの色の付箋７１１を、どの付箋貼付位置指標部２が示す位置に貼ればよいかを、分りやすく示すことができる。
【符号の説明】
【００８２】
１        ：シート状部材
２        ：第１付箋貼付位置指標部
３        ：第１記入欄
４        ：小口付箋貼付位置指標部
５        ：第２付箋貼付位置指標部
６        ：第２記入欄
７        ：付箋セット
８        ：付箋取付部
９        ：冊子収納部材
１１      ：表表紙
１２      ：裏表紙
１３      ：記録用紙
２０      ：ノド
３０      ：天
７１      ：付箋束
７２      ：付箋ケース
１３１    ：側辺
１３２    ：上辺
７１１    ：付箋
７１１１  ：糊付け部
７１１２  ：非糊付け部
Ａ        ：冊子
Ｆ        ：付箋付き冊子
Ｈ        ：付箋貼付位置指標シート
Ｉ        ：付箋付きシート
ａ        ：公知の冊子
ｂ        ：バインダー
【要約】
【課題】付箋が貼付された頁に記載された内容を把握させることができる冊子を提供する。
【解決手段】複数のシート状部材１と、シート状部材１に貼付される付箋の貼付位置を示す目印となる複数の第１付箋貼付位置指標部２と、複数の第１付箋貼付位置指標部２に対応して設けられた複数の第１記入欄３とを備えた。シート状部材１に貼付される付箋の貼付位置を示す目印となり、冊子の天３０に、複数の第１付箋貼付位置指標部２に対応して設けられた複数の小口付箋貼付位置指標部４をさらに備えることが好ましい。
【選択図】図５【図１】
0005783622.tif 000002
【図２】
0005783622.tif 000003
【図３】
0005783622.tif 000004
【図４】
0005783622.tif 000005
【図５】
0005783622.tif 000006
【図６】
0005783622.tif 000007
【図７】
0005783622.tif 000008
【図８】
0005783622.tif 000009
【図９】
0005783622.tif 000010
【図１０】
0005783622.tif 000011
【図１１】
0005783622.tif 000012
【図１２】
0005783622.tif 000013
【図１３】
0005783622.tif 000014
【図１４】
0005783622.tif 000015